(57)【要約】【課題】  使用する湯量が少なくて足の出し入れ等の使用性の良い足湯器の提供。【解決手段】  本体である外容器３に内蔵され上面が開口した内容器１と、内容器１内に入れたお湯１２を加熱するため内容器１の外側底面または外側側面に設けた発熱体２と、内容器１上部の開口部４の一部を覆う蓋５とを備えた足温浴器において、蓋５には、内容器１の上面の一辺に設けた回動部１０で回動自在に係止し、内容器１側に突出して内容器１に内在するお湯１２に水没する突起部６を備えたものである。【選択図】  図２
2014110828.tif 000002
【特許請求の範囲】
【請求項１】
外容器に内蔵され上面が開口した内容器と、
該内容器内に入れたお湯を加熱するため該内容器の外側底面または外側側面に設けた発熱体と、
前記内容器上部の開口部の一部を覆う蓋とを備えた足温浴器において、
前記蓋には、前記内容器の上面の一辺に設けた回動部で回動自在に係止し、前記内容器側に突出して前記内容器に内在するお湯に水没する突起部を備えたことを特徴とする足温浴器。
【請求項２】
前記突起部に収納容器を備えたことを特徴とする請求項１に記載の足温浴器。
【発明の詳細な説明】
【技術分野】
【０００１】
本発明は、容器に適量のお湯を満たして、入浴剤を添加して足を温める足温浴器に関するものである。
【背景技術】
【０００２】
従来の足温浴器は、内容器（足浴槽）に、適当な温度（３８℃〜４５℃）に温めた湯を適量注ぎ、湯が冷めないように発熱体の加熱によって一定温度に保持するようになっている。一般に足湯は、椅子に腰掛けた姿勢で内容器内に両足を浸し、適当な時間保持することによって、湯のエネルギーの作用で足の皮膚を通して人体を加温し、血液の流れにより全身に湯の熱や薬剤の作用を伝え、血行を良くして疲労回復、健康の維持、増進を図るものである。
【０００３】
足湯に使う湯の取り扱いを軽減するものとして特許文献１には足湯器に足の形状に成形したゴム製の袋状容器を内在させ、足を入れせた足先の形状をフレキシブルにしたものがある。
【０００４】
また、特許文献２に示すように使用時は、湯に浴用薬剤を溶かし、使用中には湯が冷めないように蓋をするものがある。
【先行技術文献】
【特許文献】
【０００５】
【特許文献１】特開２０１０−１３６８４９号公報
【特許文献２】特開２００１−１３７３０９号公報
【発明の概要】
【発明が解決しようとする課題】
【０００６】
しかし、特許文献１に示すものは、足の形状に成形したゴム製等の容器の開口部が狭く、開口部から足を出し入れしにくいという問題があった。
【０００７】
特許文献２に示すものは、略四角形の容器に溜めた湯が多く必要で給排水時の労力負担が大きいという問題があった。
【０００８】
また、蓋を外して開口部を広くするので、蓋を外すときや蓋を置いたときに結露水が床に落ちるという問題があった。
【０００９】
お湯に入浴剤を添加する場合に本体以外の別の保管場所から移動して開封、添加するため、保管や移動の手間がかかるという問題もあった。
【課題を解決するための手段】
【００１０】
本発明は上記の問題を解決するためになされたものであり、請求項１では、本体である外容器に内蔵され上面が開口した内容器と、該内容器内に入れたお湯を加熱するため該内容器の外側底面または外側側面に設けた発熱体と、前記内容器上部の開口部の一部を覆う蓋とを備えた足温浴器において、前記蓋には、前記内容器の上面の一辺に設けた回動部で回動自在に係止し、前記内容器側に突出して前記内容器に内在するお湯に水没する突起部を備えたものである。
【００１１】
請求項２では、前記突起部に収納容器を備えたものである。
【発明の効果】
【００１２】
本発明によれば、足の出し入れを容易にし、且つ、使用時の湯の給排水の労力を少なくできる。
【図面の簡単な説明】
【００１３】
【図１】一実施例の足温浴器の外観斜視図である。
【図２】同足温浴器の側面外観図である。
【発明を実施するための形態】
【００１４】
以下、本発明の一実施例について図面を用いて詳細に説明する。図１は一実施例の足温浴器の外観斜視図、図２は同足温浴器の断面図である。
【００１５】
図において、１は足温浴器の内容器で合成樹脂製の成形品である。３は外容器で本体をなす合成樹脂成形品で、内容器１を内蔵して内容器１の側面および底面側を覆っている。内容器１の上部には開口部４を備え、お湯１２や足１３を内容器１に出し入れする。内容器１にはお湯１２の量を指示する水位線１４を備える。また、内容器１の底部と側面部に発熱体２を備える。内容器１に水位線１４までお湯１２を入れて内容器１の底部と側面部に備えた発熱体２でお湯１２を４０℃前後で加熱、保温する。
【００１６】
また、内容器１上部の開口部４のつま先側の一辺に回動部１０を備える。回動部１０により合成樹脂製の蓋５を回動自在に係止して取り付けている。そして、この蓋５で内容器１の開口部４の一部を覆う。蓋５を回動部１０により回動して最大に開いたときは内容器１の上端に接して静止する。また、蓋５の内容器１側の面には蓋５と一体で構成された突起部６を備える。突起部６は、蓋５を閉じたときは内容器１の足１３以外の容積を埋める形状とし内容器１に内在するお湯１２に水没して、お湯１２の湯面を上昇させる。
【００１７】
外容器３の左右側面の内容器１の回動部１０から離れた位置に、蓋５を係止する係止部１１を備える。係止部１１は、蓋５を閉じて、内容器１に内在するお湯１２に突起部６を水没してお湯１２の湯面を上昇させるときに、突起部６により蓋５がお湯１２の浮力で浮き上がるのを抑制するものである。
【００１８】
突起部６の内部には入浴剤などを入れられる収納容器７と、収納容器７に入浴剤になどを出し入れするための容器開口部８と、容器開口部８を覆うカバー９とで構成されている。また、カバー９は、蓋５が回動部１０によって回動しても外れずに保持し、手によって開閉または着脱可能となっている。
【００１９】
突起部６を含む蓋５の内容器１側は、内容器１へ水滴を戻すガイド（図示なし）を備えて、蓋５が回動部１０によって回動してもガイドによって内容器１へ案内される。
【００２０】
続いて、足湯をする動作について説明する。
【００２１】
まず、内容器１に蓋５を載せて外容器３の係止部１１で蓋５を係止した状態で、４０℃前後に調整したお湯１２を水位線１４まで入れる。
【００２２】
次に、蓋５に設けた収納容器７のカバー９を開いて入浴剤を取り出し、適量をお湯１２に投入し、カバー９で容器開口部８を閉じる。そして、発熱体２に通電して適温に保温する。
【００２３】
次に、外容器３の係止部１１で蓋５を係止した状態を解除して、蓋５を内容器１の上端に接する静止位置まで開いて足１３を内容器１に入れる。
【００２４】
そして、ゆっくりと蓋５を回動部１０によって回動させて内容器１に内在するお湯１２に突起部６を水没して足１３のくるぶしよりも上部までお湯１２の湯面を上昇させる。そして、突起部６により蓋５がお湯１２の浮力で浮き上がるのを抑制するため、外容器３の係止部１１で蓋５を係止する。
【００２５】
足１３をお湯１２に浸して、蓋５を閉めた状態で１５〜２０分足湯をする。
【００２６】
足湯終了時には、外容器３の係止部１１を解除して蓋５を静止位置まで開いて足１３をお湯１２から出します。蓋５を閉めてお湯１２を捨てる。
【００２７】
上記の本実施例によれば、蓋５は、内容器１の上面の一辺に設けた回動部１０で回動自在に係止し、内容器１側に突出して内容器１に内在するお湯１２に水没する突起部６を設け、外容器３には内容器１の回動部１０から離れた位置に蓋５を係止する係止部１１を備えたので、蓋５を回動して開いた開口部４の状態で、内容器１の開口部４から足をお湯に出し入れできるのでの出し入れが容易にでき、足湯時は蓋５を閉じることにより突起部６が内容器１に移動して水没することにより湯面が上昇するため、使用時のお湯１２が少なくて済み、移動や排水の労力と保温電力も少なくなり、蓋５の内面の結露水は内容器１に戻り、蓋５から結露水が床に落ちなくなる。
【００２８】
また、突起部６の上面側に容器開口部８を備えて内部は収納容器７として構成し、収納容器７の容器開口部８は、蓋５が回動部１０によって回動しても外れないカバー９で覆うので、足湯の効果を高めるための入浴剤を収納容器７に保管でき、別の保管場所から移動する手間も無く、すぐにお湯１２に投入できる。
【符号の説明】
【００２９】
１    内容器
２    発熱体
３    外容器
４    開口部
５    蓋
６    突起部
７    収納容器
８    容器開口部
９    カバー
１０  回動部
１１  係止部
１２  お湯
１３  足
１４  水位線
【図１】
2014110828.tif 000003
【図２】
2014110828.tif 000004